(57)【要約】【課題】蓋体と本体とでクッキングシートを良好にホールドし、切断不良を発生することなく所望の位置で切断が可能であると同時に、クッキングシートを引き出す際に、痕跡を残さず巻癖を解消することが可能なクッキングシートロール体収納カートンを提供する。【解決手段】本体１００の前面板２０の上縁２２に折り部を介して連なり、該折り部を介して内側に折り曲げられて上記前面板２０の裏面に貼付される内面板９０を設け、上記前面板２０の上縁２２を跨いで該前面板２０と上記内面板９０の外側表面に連続する滑り止め２３を形成する。【選択図】図１
2017159931.tif 000002
【特許請求の範囲】
【請求項１】
底面板と、前記底面板の四方にそれぞれ折り部を介して連なると共に前記折り部を介して前記底面板より立ち上がる前面板と左右の側面板と背面板と、を有し、クッキングシートロール体を収納する箱形の本体と、
前記背面板の上縁に折り部を介して連なると共に前記本体の上面開口を覆う上面板と、前記上面板の前縁に折り部を介して連なると共に前記前面板の外側に重なる掩蓋片と、を有し、前記本体の背面板の上縁から傾動可能に連接されている蓋体と、
前記掩蓋片の下端、或いは、前記底面板の前縁に取り付けられた切断刃と、を備えたクッキングシートロール体収納カートンにおいて、
前記前面板の上縁に折り部を介して連なると共に前記前面板の内側に貼付された内面板を有し、
前記前面板の上縁を跨いで前記前面板と前記内面板の外側表面に連続する滑り止めが設けられていることを特徴とするクッキングシートロール体収納カートン。
【請求項２】
前記滑り止めは、前記前面板及び前記内面板の左右両端部に設けられていることを特徴とする請求項１に記載のクッキングシートロール体収納カートン。
【請求項３】
前記滑り止めは、前記前面板及び前記内面板の左右方向の中央部に設けられていることを特徴とする請求項２に記載のクッキングシートロール体収納カートン。
【請求項４】
前記滑り止めは、前記前面板の上縁全体を跨いで前記前面板及び前記内面板に連続する帯状に設けられていることを特徴とする請求項１に記載のクッキングシートロール体収納カートン。
【請求項５】
前記滑り止めは、前記前面板の、前記蓋体を閉じた状態で前記掩蓋片が重なる領域に設けられていることを特徴とする請求項１乃至４のいずれか１項に記載のクッキングシートロール体収納カートン。
【請求項６】
前記滑り止めは、アクリル樹脂を主成分とする樹脂からなることを特徴とする請求項１乃至５のいずれか１項に記載のクッキングシートロール体収納カートン。
【請求項７】
請求項１乃至６のいずれか１項に記載のクッキングシートロール体収納カートンと、前記クッキングシートロール体収納カートン内に収納されたクッキングシートロール体とを有し、前記クッキングシートロール体において、クッキングシートが前記前面板側から前記上面板側を経て前記背面板側に向かう方向に巻かれていることを特徴とする包装体。
【発明の詳細な説明】
【技術分野】
【０００１】
本発明は、帯状のクッキングシートを巻き取ったクッキングシートロール体を収納するための収納カートン及び該収納カートンにクッキングシートロール体を収納した包装体に関する。
【背景技術】
【０００２】
従来、クッキングシートやラップフィルム、アルミホイルなどのシート類のロール体を収納するカートンとしては、これらのロール体を収納する箱形の本体と、該本体に連接された蓋体と、シートを切断するために本体或いは蓋体に取り付けられた切断刃と、を備えた構造が一般的である（例えば、特許文献１の図１参照）。係るカートンに収納されたシートを使用する際には、ロール体からシートを所望の長さに引き出し、蓋体を閉じて蓋体の上面板の前縁付近を親指で押さえることにより、蓋体と本体とでシートを挟んでホールド（保持）し、引き出したシートを切断刃で切断する。
【先行技術文献】
【特許文献】
【０００３】
【特許文献１】特開２０１２−７６２０７号公報
【発明の概要】
【発明が解決しようとする課題】
【０００４】
クッキングシートは、耐熱性や耐油性を高めるために、薄い紙の片面或いは両面にシリコーン樹脂やフッ素系樹脂などがコーティングされているため、非常に滑り易い。そのため、上記したようなカートンに収納したクッキングシートを切断する際には、しっかり蓋体を押さえていても、容易にクッキングシートが滑り出てしまい、所望の位置で切断できず、斜め切りや切り残し等の切断不良が発生するという問題があった。
【０００５】
また、クッキングシートは、上記のように樹脂がコーティングされていることによって、ロール状に捲回されてカートンに収納されているうちに巻癖がついてしまうため、引き出されたシートが丸まってしまい、食材を置きにくくなるなど扱いにくくなる。この巻癖を解消するためには、ロールの巻方向とは逆方向に丸めて巻癖を解消する必要があり、使用の際に手間がかかるという問題があった。また、ロール体を通常とは巻方向が逆になるように収納し、引き出したシートをカートンの前面板の上縁より内側に突出する内フラップの先端に設けた突出部でしごいて巻癖を解消する技術も提案されているが、突出部でしごかれた痕跡（筋状のしごき跡や傷）がシートに残り、見栄えが良くなく、そのシートの上に菓子や食品の生地を載せて調理すると、しごかれた痕跡に沿った形に焼き上がってしまうという問題があった。
【０００６】
本発明の課題は、蓋体と本体とでクッキングシートを良好にホールドし、切断不良を発生することなく所望の位置で切断が可能であるとともに、クッキングシートを引き出す際に、痕跡を残さず巻癖を解消することが可能なクッキングシートロール体収納カートン、及び該カートンにクッキングシートロール体を収納した包装体を提供することにある。
【課題を解決するための手段】
【０００７】
本発明の第一は、底面板と、前記底面板の四方にそれぞれ折り部を介して連なると共に前記底面板より立ち上がる前面板と左右の側面板と背面板と、を有し、クッキングシートロール体を収納する箱形の本体と、
前記背面板の上縁に折り部を介して連なると共に前記本体の上面開口を覆う上面板と、前記上面板の前縁に折り部を介して連なると共に前記前面板の外側に重なる掩蓋片と、を有し、前記本体の背面板の上縁から傾動可能に連接されている蓋体と、
前記掩蓋片の下端、或いは、前記底面板の前縁に取り付けられた切断刃と、を備えたクッキングシートロール体収納カートンにおいて、
前記前面板の上縁に折り部を介して連なると共に前記前面板の内側に貼付された内面板を有し、
前記前面板の上縁を跨いで前記前面板と前記内面板の外側表面に連続する滑り止めが設けられていることを特徴とする。
【０００８】
上記本発明のクッキングシートロール体収納カートンにおいては、下記の構成を好ましい態様として含む。
前記滑り止めは、前記前面板及び前記内面板の左右両端部に設けられていること。さらに、前記滑り止めは、前記前面板及び前記内面板の左右方向の中央部に設けられていること。
前記滑り止めは、前記前面板の上縁全体を跨いで前記前面板及び前記内面板に連続する帯状に設けられていること。
前記滑り止めは、前記前面板の、前記蓋体を閉じた状態で前記掩蓋片が重なる領域に設けられていること。
前記滑り止めは、アクリル樹脂を主成分とする樹脂からなること。
【０００９】
本発明の第二は、上記本発明の第一のクッキングシートロール体収納カートンと、前記クッキングシートロール体収納カートン内に収納されたクッキングシートロール体と、を有し、前記クッキングシートロール体において、クッキングシートが前記前面板側から前記上面板側を経て前記背面板側に向かう方向に巻かれていることを特徴とする包装体である。
【発明の効果】
【００１０】
本発明のクッキングシートロール体収納カートンにおいては、前面板の上縁を跨いで前面板と内面板の外表面に連続する滑り止めを備えていることによって、クッキングシートを蓋体と本体との間でしっかりとホールドすることができ、クッキングシートを所望の位置で容易に切断することができる。また、本発明のクッキングシートロール体収納カートンにおいては、クッキングシートロール体をシートの巻方向が通常とは逆方向となるように収納することにより、クッキングシートを引き出す際に、クッキングシートが前面板の上縁及び前面板に設けられた滑り止めの表面で擦られることで、巻癖が解消される。また、前面板の上縁が直線状であるため、引き出されたシートには痕跡が残らず、見栄えがよい。
【００１１】
また、本発明の包装体においては、クッキングシートの巻方向が通常とは逆方向になるようにクッキングシートロール体が本発明のクッキングシートロール体収納カートンに収納されているため、係るカートンを開封した際に、クッキングシートの巻癖を解消するためにクッキングシートロール体を入れ直す必要がなく、直ちに使用することができる。
【図面の簡単な説明】
【００１２】
【図１】本発明のクッキングシートロール体収納カートンの一実施形態の展開図である。
【図２】図１の実施形態のクッキングシートロール体収納カートンに収納したクッキングシートを引き出した状態を示す斜視図である。
【図３】図１の実施形態のクッキングシートロール体収納カートンにクッキングシートロール体を収納した包装体を開封する様子を示した斜視図である。
【図４】図１のクッキングシートロール体収納カートンにクッキングシートロール体を収納した包装体からクッキングシートを引き出す状態の幅方向中央部における断面模式図である。
【図５】本発明のクッキングシートロール体収納カートンの他の実施形態の展開図である。
【図６】本発明のクッキングシートロール体収納カートンの他の実施形態に収納したクッキングシートを引き出した状態を示す斜視図である。
【図７】比較例のクッキングシートロール体収納カートンの展開図である。
【発明を実施するための形態】
【００１３】
以下、図面を参照して本発明の実施形態を説明するが、本発明は下記実施形態に限定されない。また、以下に参照する図面において、同じ符号は同様の構成要素を示す。尚、図中の一点鎖線は折り部を示す。また、本発明において「幅方向」及び「左右方向」とは、収納したシートの幅方向であり、図１における紙面上下方向を指す。
【００１４】
本発明に係るクッキングシートロール体収納カートン（以下、「カートン」と記す）を図１〜図６を用いて詳細に説明する。
【００１５】
本発明のカートンは、本体１００と、蓋体２００と、切断刃３００とを備えており、本体１００内にクッキングシート(以下、「シート」と記す)４０１のロール体４００を収納して包装体とする。また、本発明のカートンが収納する対象であるクッキングシート４０１とは、紙やアルミニウムなどの基材の片面或いは両面に耐熱性を有するシリコーン樹脂或いはフッ素系樹脂がコーティングされている調理用シートである。
【００１６】
本発明のカートンは、図１に示すように、切断刃３００以外は１枚のシート材から切り出し、折り曲げて所定の箇所を接着剤等により固定することにより成形することができる。本発明の包装箱に用いられるシート材としては、通常、弾性、柔軟性を有する紙であり、表面に適宜樹脂層をコーティングしたものなども好ましく用いられる。また、切断刃３００は金属、樹脂、紙から別途形成され、蓋体２００の所定の位置に取り付けられる。
【００１７】
また、本発明の収納カートンに収納されるクッキングシート４０１は、長尺シートの形態で提供され、円筒形の芯材に巻き取って、或いは芯材を用いずに円筒形に巻き取ってロール体とし、本発明のカートンの本体１００内に収納される。
【００１８】
図１、図２に示すように、本体１００は底面板１０と、該底面板１０の四方にそれぞれ折り部を介して連なる前面板２０と左右の側面板３０ａ，３０ｂと背面板４０とを有している。そして、前面板２０と側面板３０ａ，３０ｂと背面板４０とを、それぞれ折り部を介して９０°に折り曲げて底面板１０より立ち上げることにより、箱形の本体１００が形成されている。本実施形態においては、前面板２０の左右に折り部を介して補助片２１ａ，２１ｂを、背面板４０の左右に折り部を介して補助片４１ａ，４１ｂを、それぞれ備えている。よって、前面板２０、側面板３０ａ，３０ｂ、背面板４０をそれぞれ底面板１０から立ち上げた際には、係る補助片２１ａと４１ａとをそれぞれ前面板２０と背面板４０とから折り部を介して９０°に折り曲げて側面板３０ａの内面に、補助片２１ｂと４１ｂとをそれぞれ前面板２０と背面板４０とから折り部を介して９０°に折り曲げて側面板３０ｂの内面に、それぞれ、接着剤を介して貼り付けて固定し、箱形形状を保持することができる。
【００１９】
蓋体２００は、本体１００の背面板４０の上縁に折り部を介して連なる上面板５０と、該上面板５０の前縁に折り部を介して連なる掩蓋片６０と、を有している。よって、上面板５０を背面板４０から折り部を介して９０°に折り曲げ、さらに掩蓋片６０を上面板５０から折り部を介して９０°に折り曲げて固定することにより、掩蓋片６０と上面板５０との境界である折り部の角度が９０°に固定された蓋体２００が成形される。本実施形態では上面板５０の左右に折り部を介して側縁板５１ａ，５１ｂを、掩蓋片６０の左右に折り部を介して補助片６１ａ，６１ｂを、それぞれ備えている。よって側縁板５１ａ，５１ｂを上面板５０から折り部を介して９０°に折り曲げ、同様に補助片６１ａ，６１ｂを掩蓋片６０から折り部を介して９０°に折り曲げ、側縁板５１ａと補助片６１ａ、側縁板５１ｂと補助片６１ｂをそれぞれ貼り合わせることで上面板５０から掩蓋片６０を９０°に折り曲げた状態で固定することができる。
【００２０】
本例において、前面板２０の高さＨ１と背面板４０の高さＨ２とは、互いに等しくても、シート材の厚さ分を調整するため互いに異なっていても良い。また、底面板１０の奥行きＤ１と上面板５０の奥行きＤ２についても同様に、互いに等しくても、シート材の厚さ分を調整するため互いに異なっていても良い。
【００２１】
蓋体２００には、図２に示すようにシート４０１を切断するための切断刃３００が取り付けられており、該切断刃３００は、掩蓋片６０の下端から切断刃３００の先端が突出するように掩蓋片６０の内側に取り付けられる。
【００２２】
本例においては、図１に示すように、掩蓋片６０の下端にミシン目８０を介して掩蓋片６０に連なる開封板７０が配置されており、開封板７０を本体１００の前面板２０に接着剤等によって貼付することで蓋体２００を本体１００に固定する。この時、掩蓋片６０の内側に取り付けられた切断刃３００の先端は開封板７０によって覆われ、開封時には図３に示すように、ミシン目８０において開封板７０を切り離すことによって蓋体２００は開放され、切断刃３００の先端が露出してシート４０１の切断が可能となる。本例では、掩蓋片６０と開封板７０との高さの合計Ｈ４と背面板４０の高さＨ２とが等しく、収納カートンを組み立てた際に、開封板７０の下端が前面板２０の下端に一致する。
【００２３】
本発明においては、図１、図４に示すように、前面板２０の上縁２２に折り部を介して連なると共に該折り部を介して内側に折り曲げられて前面板２０の裏面に貼付される内面板９０を有しており、前面板２０の上縁２２を跨いで前面板２０と内面板９０の外側表面に連続する滑り止め２３が設けられている。図１において、斜線で示される領域が滑り止め２３である。
【００２４】
本発明においては、係る滑り止め２３を設けたことにより、蓋体２００を閉じた状態でシート４０１が良好にホールドされる。シート４０１を良好にホールドし得る効果は、少なくとも、前面板２０の上縁２２、即ち、前面板２０と内面板９０との折り部に滑り止め２３が存在することにより得られる。係る折り部に滑り止め２３があることで、蓋体２００を閉じた状態で、シート４０１が、前面板２０の上縁２２と蓋体２００の上面板５０との間に挟まれた際に滑りにくくなり、良好にホールドされる。また、シート４０１は、蓋体２００を閉じた状態で、前面板２０と蓋体２００の掩蓋片６０との間にも挟まれるため、前面板２０における滑り止め２３の面積が広い方が、シート４０１が前面板２０と掩蓋片６０との間でより滑りにくくなり、ホールドされる効果が高くなる。
【００２５】
滑り止め２３は、カートンとして立体的に成形される前の平面状のブランクに形成されるが、その際に、内面板９０がない場合には、前面板２０の上縁２２がブランクの端部となるため、カートンにおいて蓋体２００を閉じた状態で上面板５０に対向する上縁２２の端面に滑り止め２３を形成する必要があるが、幅の狭い端面に滑り止め２３を形成する作業は容易ではない。これに対して、前面板２０に内面板９０を連接した構成では、前面板２０の上縁２２が前面板２０から内面板９０を折り曲げた際の折り曲げ部であり、滑り止め２３の形成に際しては、前面板２０の表面と内面板９０の表面とが連続面となるため、上縁２２に滑り止め２３を形成することは容易である。また、上縁２２に対して幅を持たせて滑り止め２３を形成することで、滑り止め２３が該上縁２２に交差する方向に多少ずれて形成されても、上縁２２に確実に滑り止め２３を形成することができる。また、内面板９０を設けたことで、内面板９０がない場合に比べて上縁２２における本体１００の厚さが二倍になり、シート４０１に接する領域が広がり、また、上縁２２周辺の強度も高くなる。
【００２６】
また、本発明においては、前面板２０の上縁２２に滑り止め２３が存在することで、シート４０１の巻癖を解消することもできる。
【００２７】
図４は、図１のカートンにロール体４００を収納した包装体において、ロール体４００からシート４０１を引き出した状態での、カートンの幅方向の中央部における、奥行き方向（側面板３０ａの上縁に沿った方向）に沿った断面模式図である。本発明のカートンには、図４に示すように、ロール体４００を通常とは巻方向が逆方向となるように収納することによって、シート４０１の巻癖を解消することができる。通常のラップフィルムやアルミホイルなどのロール体を収納する際は、シート４０１が背面板４０側から上面板５０側を経て前面板２０側に向かう方向に巻かれた状態で収納されるが、本発明においてはこの逆となるように、シート４０１が、前面板２０側から上面板５０側を経て背面板４０側に向かう方向に巻かれた状態でロール体４００を本体１００に収納する。
【００２８】
次に、図４に示すように、ロール体４００から引き出したシート４０１を、前面板２０の上縁２２で折り返し、掩蓋片６０と前面板２０との間を通して外部に引き出し、掩蓋片６０の先端６０ａに取り付けられた切断刃３００によって引き出したシート４０１を切断する。
【００２９】
シート４０１は図４に示した上記経路を通って引き出される際に、その表面を前面板２０の上縁２２でしごかれるが、上縁２２には滑り止め２３が設けられているため、シート４０１が滑りにくく、滑り止め２３がない場合よりも強くシートの表面がしごかれる。その結果、シート４０１の巻癖が解消される。また、シート４０１は、滑り止め２３の前面板２０側の領域と掩蓋片６０との間で強く擦られることでも巻癖の解消効果が得られるため、前面板２０における滑り止め２３の面積が広い方が、巻癖の解消効果も高い。また、本発明では、前面板２０の上縁２２が直線状であるため、引き出されたシート４０１に上縁２２でしごかれた痕跡が残らない。
【００３０】
本発明において、滑り止め２３は、少なくとも前面板２０及び内面板９０の左右両端部に設けることにより、カートンの左右どちら側からシート４０１を切断し始めても、良好にシート４０１をホールドして所望の位置で切断することができ、巻癖も解消される。さらに、滑り止め２３は前面板２０及び内面板９０の左右方向の中央部にも設けることにより、親指で押さえる上面板５０の前縁でもシート４０１が滑り出しにくくなり、巻癖の解消効果も高くなるため好ましい。滑り止め２３の左右方向の長さＷ２，Ｗ３，Ｗ４はそれぞれＷ１に対して１／５以上であることが好ましく、より好ましくは、図５に示すように、前面板２０の上縁２２全体を跨いで前面板２０及び内面板９０に連続する帯状に滑り止め２３を設ける。
【００３１】
また、上記したように、本発明において、滑り止め２３は前面板２０側で面積が広い方がホールド効果及び巻癖解消効果のいずれにおいても好ましく、望ましくは蓋体２００を閉じた状態で、掩蓋片６０と重なる領域に形成する。また、掩蓋片６０と重ならない領域にまで形成しても上記効果は変わらないため、滑り止め２３の前面板２０側の高さＨ５は、掩蓋片６０の高さＨ３以下、即ちＨ５≦Ｈ３の範囲で形成することが好ましい。
【００３２】
また、本発明において内面板９０は、前面板２０及びその上縁２２を補強するためと、滑り止め２３を確実に上縁２２に設けるための部材である。よって、その高さＨ７は、前面板２０の高さの１／４〜１／２が好ましい。
【００３３】
本発明に係る滑り止め２３は、天然ゴムや合成ゴム、アクリル樹脂を主成分とする樹脂などの合成樹脂で形成することができる。特に、アクリル樹脂を主成分とする樹脂は、耐ブロッキング性が高く、本発明のカートンをブランクの状態で積み重ねた場合に、隣り合ったブランクが該滑り止め２３によって互いに接着し合うブロッキングが生じにくく、好ましい。
【００３４】
滑り止め２３を設ける方法としては、これらの材料を含有する滑り止め塗料を塗工することによって設ける方法や、ゴムシートを所定の位置に貼付する方法などが挙げられるが、滑り止め塗料を塗工して乾燥させる方法が、製造が容易なことから好ましい。滑り止め塗料としては、天然ゴムラテックスを主成分とするエマルジョンやアクリル樹脂を主成分とする水性塗料が好ましく用いられる。係る塗料は印刷塗工によって所望の領域に容易に付与することができる。具体的には、グラビア輪転印刷或いは平グラビア印刷、フレキソ印刷などで塗工した後に熱風乾燥することで滑り止め２３とすることができる。また、ＵＶ硬化型の樹脂材料を含有する滑り止め塗料をオフセット印刷やフレキソ印刷で塗工し、ＵＶ照射して硬化させても良い。天然ゴムラテックスを用いる場合には、紫外線などによる劣化を防止するための添加剤を加えることが望ましい。また、粘着性の高い樹脂を用いた場合には、ブロッキングを防止するため、滑り止め塗料の固形分に対して１０質量％〜２０質量％程度の無機充填剤又は有機充填剤を添加することが好ましく、係る充填剤としては、平均粒径が２０μｍ以下のものが好ましい。
【００３５】
本発明に係る滑り止め２３としては、クッキングシート４０１に対して滑り角度が３０°以上となることが好ましい。より好ましくは３５°以上である。滑り角度は、３１０ｇの重りの底面（底面積：１５ｃｍ2）に各種クッキングシートを貼り付け、台座の上に形成した滑り止めの上に載せ、傾斜速度２°／秒で台座の上面の水平に対する傾斜角度を徐々に上げて、上記重りがシートごと滑り出す角度を測定して得られる。例えば、上記アクリル樹脂を主成分とする樹脂で形成された滑り止めは３８．３°の滑り角度が得られる。また、通常の滑り止めのないカートンの表面の滑り角度は２５．９°程度である。
【００３６】
図２〜図４には、切断刃３００を掩蓋片６０の下端に取り付けた形態を示したが、本発明では係る構成に限定されない。例えば、図６に示すように、底面板１０の前縁から切断刃３００の先端が突出するように底面板１０の外側に取り付けた形態も本発明では適用される。係る構成のカートンの展開図は図５の展開図とほぼ同様であるが、掩蓋片６０と開封板７０とを合わせた高さＨ４を、前面板２０の高さＨ１よりも若干高くし、底面板１０に取り付けた切断刃３００の先端を開封板７０の下端で覆って固定することにより、開封するまで切断刃３００の先端が露出しないように保護することができる。
【００３７】
尚、図６の形態では、図５中の側縁板５１ａ、５１ｂ及び補助片６１ａ、６１ｂを設けていないが、図６においても、側縁板５１ａ、５１ｂ及び補助片６１ａ、６１ｂを設けて、図２の形態と同様に、上面板５０から掩蓋片６０を９０°に折り曲げた状態で固定した蓋体２００としてもよい。
【実施例】
【００３８】
コート白ボール「ＪＥＴ  ＳＴＡＲ」（日本製紙株式会社製、坪量：４００ｇ／ｍ2）を用い、図５に示す展開図のカートンを実施例１，２として作製した。各部材の寸法は、Ｈ１＝３８ｍｍ、Ｄ１＝４１ｍｍ、Ｈ２＝４０ｍｍ、Ｄ２＝４１ｍｍ、Ｈ３＝２６ｍｍ、Ｗ１＝３０８ｍｍ、Ｈ７＝１２ｍｍ、Ｈ６＝２ｍｍとした。また、実施例１はＨ５＝２ｍｍ、実施例２はＨ５＝２６ｍｍとした。切断刃３００は図２に示すように掩蓋片６０の下端に取り付けた。
【００３９】
滑り止め２３は、固形分が５０質量％の水性アクリル樹脂エマルジョンにメタノールを添加して、ザーンカップ♯３（株式会社離合社製）で測定した粘度が１８秒となるように調整した滑り止め塗料を、上記コート白ボールのブランクに、卓上塗工機（株式会社井元製作所製）を用い、塗工速度５．２ｍ／ｍｉｎ、塗工量が５ｇ／ｍ2となるように塗工し、１００℃で乾燥させて形成した。滑り止め２３の滑り角度は３８．３°、滑り止め２３以外のカートン表面の滑り角度は２５．９°であった。
【００４０】
また、滑り止め２３を設けない以外は図５と同じ展開図のカートンを比較例１とした。また、図７に示す展開図のように、実施例１の滑り止め２３を設けた位置に滑り止め２３を設けず、内面板９０の上縁２２からＨ８＝２ｍｍ（実施例１のＨ５と同じ）離れた位置に高さＨ９＝２４ｍｍ（実施例１のＨ３−Ｈ５）の帯状の滑り止め２３を設けたカートンを比較例２として作製した。
【００４１】
上記実施例１，２、比較例１，２のそれぞれのカートンに、紙基材の両面にシリコーン樹脂をコーティングした市販のクッキングシートのロール体を、巻方向が逆になるように収納し、シートを引き出して切断し、ホールド性と巻癖の解消効果を観察した。その結果、比較例１はホールド性が得られず、良好に切断できなかった。また、巻癖解消効果も得られなかった。比較例２は比較例１に比べれば、ホールド性、巻癖解消効果が得られるものの、いずれも十分ではなかった。一方、実施例１、実施例２はいずれもホールド性が良く、良好に切断でき、巻癖解消効果が高かった。また、シートに痕跡を残すことなく巻癖が解消された。いずれの効果も実施例１より実施例２の方が高かった。
【符号の説明】
【００４２】
１０：底面板、２０：前面板、２１ａ，２１ｂ：補助片、２２：前面板の上縁、２３：滑り止め、３０ａ，３０ｂ：側面板、４０：背面板、４１ａ，４１ｂ：補助片、５０：上面板、５１ａ，５１ｂ：側縁板、６０：掩蓋片、６１ａ，６１ｂ：補助片、７０：開封板、８０：ミシン目、９０：内面板、１００：本体、２００：蓋体、３００：切断刃、４００：クッキングシートロール体、４０１：クッキングシート
【図１】
2017159931.tif 000003
【図２】
2017159931.tif 000004
【図３】
2017159931.tif 000005
【図４】
2017159931.tif 000006
【図５】
2017159931.tif 000007
【図６】
2017159931.tif 000008
【図７】
2017159931.tif 000009